(57)【要約】【課題】  液晶パネルとフィルタパネルとを実装したときの強度を考慮した情報処理装置を提供する。【解決手段】  表示エリアに画像を表示するためのドライバＩＣを有する液晶パネルと、前記液晶パネルの前記画像の表示面に対向して配置され、覗き込み防止パターンを表示可能なプライバシーフィルタ１７と、前記表示エリアとは異なるとともに前記ドライバＩＣが実装される領域を含む領域と対向する、前記プライバシーフィルタ１７上の領域に実装され、前記フィルタパネルを駆動させる信号が供給される端子１７５とを具備する。【選択図】    図１０
2006284934.tif 000002
【特許請求の範囲】
【請求項１】
表示エリアに画像を表示するためのドライバＩＣを有する液晶パネルと、
前記液晶パネルの前記画像の表示面に対向して配置され、覗き込み防止パターンを表示可能なフィルタパネルと、
前記表示エリアとは異なるとともに前記ドライバＩＣが実装される領域を含む領域と対向する、前記フィルタパネル上の領域に実装され、前記フィルタパネルを駆動させる信号が供給される端子と、
を具備することを特徴とする情報処理装置。
【請求項２】
前記端子に接続され、前記端子に前記フィルタパネルを駆動させる信号を供給するフレキシケーブルをさらに具備することを特徴とする請求項１記載の情報処理装置。
【請求項３】
前記フィルタパネルを駆動させる信号を生成する電源と、
前記電源に接続されたケーブルと、
前記ケーブルと前記フレキシブルケーブルとを電気的に接続するための変換部と、
をさらに具備することを特徴とする請求項２記載の情報処理装置。
【請求項４】
前記電源と前記変換部との間に設けられるスイッチとをさらに具備することを特徴とする請求項３記載の情報処理装置。
【請求項５】
本体と、
前記液晶パネル、前記フィルタパネル、前記フレキシブルケーブルおよび前記変換部が内蔵される表示ユニットと、
前記本体に対して前記表示ユニットを支持し、前記ケーブルが配置される支持部とをさらに具備することを特徴とする請求項３記載の情報処理装置。
【請求項６】
前記フィルタパネルは前記液晶パネルと対向するように設けられる透明基板を有し、
前記端子は前記透明基板上に設けられることを特徴とする請求項１記載の情報処理装置。
【請求項７】
前記フィルタパネルの横縦寸法は、前記液晶パネルの縦横寸法よりも、小さいことを特徴とする請求項１記載の情報処理装置。
【請求項８】
前記フィルタパネルの前記覗き込み防止パターンが表示される領域の縦横寸法は、前記液晶パネルの前記表示エリアの縦横寸法より大きいことを特徴とする請求項１記載の情報処理装置。
【請求項９】
前記覗き込み防止パターンは、前記液晶パネルの面の法線方向以外の所定の方向に向かう光量を制御するためのパターンであることを特徴とする請求項１記載の情報処理装置。
【請求項１０】
表示エリアに画像を表示する液晶パネルと、
前記液晶パネルの前記画像の表示面に対向して配置され、覗き込み防止パターンを表示可能なフィルタパネルと、
前記液晶パネルと前記フィルタパネルとの間に設けられ、前記液晶パネルと前記フィルタパネルとを接合する接合部材と、
を具備することを特徴とする情報処理装置。
【請求項１１】
前記接合部材は前記表示エリアの周囲に設けられることを特徴とする請求項１０記載の情報処理装置。
【請求項１２】
前記接合部材は、テープ状の部材と、前記部材の両面に設けられた粘着剤とを有することを特徴とする請求項１０記載の情報処理装置。
【請求項１３】
前記テープ状の部材は、クッション性を有することを特徴とする請求項１２記載の情報処理装置。
【請求項１４】
前記液晶パネル側の粘着剤の粘着力と前記フィルタパネル側の粘着剤の粘着力とが異なることを特徴とする請求項１２記載の情報処理装置。
【請求項１５】
表示エリアに画像を表示する液晶パネルと、
前記液晶パネルの前記画像の表示面に対向して配置され、覗き込み防止パターンを表示可能なフィルタパネルと、
前記液晶パネルと前記フィルタパネルとの間に設けられ、前記液晶パネルと前記フィルタパネルとを接着する接着剤とを具備することを特徴とする情報処理装置。
【請求項１６】
前記接着材は前記表示エリアの周囲に設けられることを特徴とする請求項１５記載の情報処理装置。
【発明の詳細な説明】
【技術分野】
【０００１】
本発明は、画像を表示する表示パネルに、覗き込み防止パターンを表示可能なフィルタパネルを重ね合わせた情報処理装置に関する。
【背景技術】
【０００２】
近年、液晶表示装置は、ノートブック型コンピュータ用、モニタ用等の表示装置として広く用いられている。液晶表示装置の視野角依存性の改良が進み、ＣＲＴと同レベルの視野角を有するようになってきた。
【０００３】
ところが、携帯端末等の用途を中心に、正面からのみ見ることが可能であり、斜め方向から見ることを不可能にするディスプレイの要求がある。これは、機密性のある文書等を公共の場等で作成する、あるいは読む場合に、ディスプレイの使用者以外にこの情報が見えることを防ぐ為である。また、周りを気にすることなく、個人的なメール等を読み、また書くようにするためである。
【０００４】
視野角を制御する技術として、一対の透明基板で挟まれた液晶材料を有する液晶パネル（以下では視野角制御フィルタ）を用いる技術が開示されている（特許文献１）。この文献に記載されている技術では、視野角制御フィルタをＯＮにすると、斜めからは覗き込み防止パターンが見え、文章などの画面の情報を保護する。なお、視野角制御フィルタが動作していても、正面からの見え方は変わらない。また、視野角制御フィルタをオフにすると、画像を表示するための画像表示パネルの本来の視野角で見ることができる。
【特許文献１】特開２００４−１３３３３４号公報
【発明の開示】
【発明が解決しようとする課題】
【０００５】
視野角制御フィルタを駆動するための駆動信号を供給するための端子を視野角制御フィルタに設ける必要があり、端子を設ける部分のガラス基板の幅を大きくする必要がある。しかしながら、液晶パネルと視野角制御フィルタとを貼り合わせた時の強度を考慮すると、端子が設けられるガラス基板の幅をむやみに大きくすることが出来ない。
【０００６】
また、上述した公知文献では、複数の突起や、棒状の突起等で視野角制御フィルタを液晶表示装置に固定することが開示されている。ところが例えば棒状の突起を用いると、視野角制御フィルタの表面に圧力が加わった場合、棒状の突起部で支持する部分に力が集中して覗き込み防止装置のガラス基板が割れる恐れがある。
【０００７】
本発明の目的は、液晶パネルとフィルタパネルとを実装したときの強度を考慮した情報処理装置を提供することにある。また、本発明の別の目的は、液晶パネルの動作の保証を考慮した情報処理装置を提供することにある。
【課題を解決するための手段】
【０００８】
本発明の一例に係わる情報処理装置は、表示エリアに画像を表示するためのドライバＩＣを有する液晶パネルと、前記液晶パネルの前記画像の表示面に対向して配置され、覗き込み防止パターンを表示可能なフィルタパネルと、前記表示エリアとは異なるとともに前記ドライバＩＣが実装される領域を含む領域と対向する、前記フィルタパネル上の領域に実装され、前記フィルタパネルを駆動させる信号が供給される端子と、を具備することを特徴とする。
【０００９】
本発明の別の一例に係わる情報処理装置は、表示エリアに画像を表示する液晶パネルと、前記液晶パネルの前記画像の表示面に対向して配置され、覗き込み防止パターンを表示可能なフィルタパネルと、前記液晶パネルと前記フィルタパネルとの間に設けられ、前記液晶パネルと前記フィルタパネルとを接合する接合部材と、を具備することを特徴とする。
【発明の効果】
【００１０】
本発明によれば、液晶パネルとフィルタパネルとを実装したときの強度を考慮した情報処理装置を提供することが可能となる。また、液晶パネルの動作の保証を考慮した情報処理装置を提供することが可能となる。
【発明を実施するための最良の形態】
【００１１】
本発明の実施の形態を以下に図面を参照して説明する。
【００１２】
図１は本発明の一実施形態に係る情報処理装置としてのノートブック型のパーソナルコンピュータの構成を示す図である。
【００１３】
パーソナルコンピュータは、コンピュータ本体１２と、ディスプレイユニット１４とから構成されている。
【００１４】
ディスプレイユニット１４は、コンピュータ本体１２の上面を覆う開放位置とコンピュータ本体１２の上面が露出する閉塞位置との間を回動自在に変化するように、コンピュータ本体１２の奥手側の端部に設けられたヒンジ（支持部）１８に取り付けられている。ディスプレイユニット１４には、表示パネルであるパネル駆動信号に応じて表示エリアに画像を表示するＬＣＤ（Liquid Crystal Display）パネル１６、及びフィルタ駆動信号に応じて覗き込み防止パターンを表示するプライバシーフィルタ（液晶パネル）１７が組み込まれている。
【００１５】
コンピュータ本体１２は箱形の筐体を有しており、その筐体上面中央部には、キーボード２０が設けられる。コンピュータ本体１２の手前側の筐体部分上面にはパームレストが形成されている。パームレストのほぼ中央部には、タッチパッド２２、スクロールボタン２４、タッチパッドコントロールボタン２６が設けられる。コンピュータ本体１２の奥側の筐体部分上面には、コンピュータ本体１２の電源をオン／オフするためのパワーボタン２８、フィルタＯＮ／ＯＦＦスイッチ３０、左右のスピーカ３３、３４が配置されている。筐体の前面には、電源状態やＨＤＤの動作状態を示す各種インジケータ（ＬＥＤ）３６が設けられる。
【００１６】
図２に示すように、プライバシーフィルタ１７は、両面テープ（接合部材）４０を用いてＬＣＤパネル１６の画像表示面側に固定されている。両面テープ４０は、ＬＣＤパネル１６の表示エリアの周囲に設けられる。両面テープ４０はＬＣＤパネル１６の表示エリアの周囲になるべく隙間無く設けられるほうが好ましい。
【００１７】
両面テープ４０は、図３に示すように、厚みのあるクッション性を有するテープ状の部材４１の両面に粘着剤４２，４３が設けられている。なお、粘着剤の粘着力は同じでも良いが、異ならせても良い。例えば、プライバシーフィルタ１７側の粘着剤４２の粘着力をＬＣＤパネル１６側の粘着剤４３の粘着力より弱くすると良い。粘着剤４２の粘着力を弱くすることで、リペア時に、ＬＣＤパネル１６側からプライバシーフィルタ１７を剥がすことが容易になる。
【００１８】
ＬＣＤパネル１６は、図４に示すように、液晶セル１６１を金属ベゼル１６２とバックライトユニット１６３とで挟持した構造である。両面テープ４０は、金属ベゼル１６２の表面に設けられる。また、ＬＣＤパネル１６およびプライバシーフィルタ１７は、ディスプレイユニット１４の筐体１４１内に設けられる。
【００１９】
プライバシーフィルタ１７にフィルタ駆動信号を供給する構成の概略を図５に示す。図５に示すように、ＦＰＣ(Flexible Printed Circuit)５５はフィルタ駆動信号をプライバシーフィルタ１７に供給するための端子に接続されている。ライン状のケーブルを端子に接続することは困難であるため、ＦＰＣ５５を端子に接続している。コンピュータ本体１２内に設けられた電源はフィルタ駆動信号を生成する。電源５１からフィルタ駆動信号が供給されるライン上にフィルタＯＮ／ＯＦＦスイッチ３０が設けられている。フィルタＯＮ／ＯＦＦスイッチ３０の後段にライン状ケーブル５３が設けられている。
【００２０】
ライン状ケーブル５３は、コンピュータ本体１２からヒンジ１８を通ってディスプレイユニット１４内に配置される。ライン状ケーブル５３とＦＰＣ５５との間に、ケーブルの信号線５３をＦＰＣの信号線に接続するためのケーブル／ＦＰＣ変換基板５４が設けられている。ケーブル／ＦＰＣ変換基板５４およびＦＰＣ５５はディスプレイユニット１４内に配置されている。なお、図１に示すように、フィルタＯＮ／ＯＦＦスイッチ３０は、コンピュータ本体１２に設けられているが、ディスプレイユニット１４に設けられても良い。
【００２１】
フィルタＯＮ／ＯＦＦスイッチ３０の操作に応じて、プライバシーフィルタ１７がＯＮ／ＯＦＦする。図６に、プライバシーフィルタ１７をＬＣＤパネル１６上に装着したときの画面の見え方の例を示す。図６（ａ）の３面は、プライバシーフィルタ１７がオンのときの状態を示し、図６（ｂ）の３面は、プライバシーフィルタ１７がオフのときの状態を示す。また、左は左斜め前から画面を見たとき、中央は正面から画面を見たとき、右は右斜め前から画面を見たときを示している。つまり、プライバシーフィルタ１７は、ＬＣＤ１６の面の略法線方向以外の所定の方向に向かう光量をフィルタ駆動信号（電圧）に応じて制御する。
【００２２】
プライバシーフィルタ１７のＯＮ場合、図６（ａ）に示すように、ＬＣＤパネル１６の表示画像に対して、覗き込み防止パターンが見え、横方向からの覗き込みを防止することができる。なお、図６（ｂ）に示すように、プライバシーフィルタ１７がＯＮでも、正面から見た場合は、覗き込み防止パターンは認識出来ず、ＬＣＤパネル１６の表示を正常に見ることが出来る。
【００２３】
ところで、ＦＰＣ５５をヒンジ１８に通すと、ディスプレイユニット１４の開閉動作によって、ＦＰＣ５５が屈曲し、信頼性に問題がある。そこで、本実施形態のように、ケーブル／ＦＰＣ変換基板５４をディスプレイユニット１４内に配置し、屈曲耐性が高いライン状ケーブル５３をヒンジ１８に通すことで、ディスプレイユニット１４の開閉動作による、断線が起こりにくく、信頼性の低下を抑制することができる。
【００２４】
また、ＦＰＣ５５とプライバシーフィルタ１７との接続部を図７に示す。ＦＰＣ５５は、図７に示すように、プライバシーフィルタ１７の表示面と反対側、即ちＬＣＤパネル１６側のガラス基板（透明基板）１７１上に設けられた端子１７５に接着、若しくは圧着されている。なお、図６において、液晶材料１７２がガラス基板１７１とガラス基板１７３との間に設けられている。シール１７４は、液晶材料１７２をガラス基板１７１とガラス基板１７３との間に封入するために設けられている。
【００２５】
ＦＰＣ５５が接続されるプライバシーフィルタ１７側の端子の位置について図８を用いて説明する。通常のＬＣＤパネル１６の液晶セル１６１には、図８に示すように、パネル駆動信号が供給される表示エリアの外側にソースドライバＩＣ１６１１およびゲートドライバＩＣ１６１２が実装されている。
【００２６】
プライバシーフィルタ１７にフィルタ駆動信号を供給するためには、図７に示すように、任意のガラス基板上にＦＰＣ５５などとのＩ／Ｆとして端子１７５を設ける必要がある。図８に示す様に、ＳＰＷＧやＶＥＳＡなどて標準化されているＬＣＤパネル１６の場合、表示面から見て、上辺側にソースドライバＩＣ１６１１、左辺側にゲートドライバＩＣ１６１２が配置されている構造となっている。図９に示すように、ＬＣＤの表示エリア以外を覆う金属ベゼル１６２の幅は、ドライバＩＣ１６１１，１６１２が配置されていない辺１６２ｃ，１６２ｄより、ドライバＩＣ１６１１，１６１２が配置されている辺１６２ａ，１６２ｂの方が広くなっている。
【００２７】
ＦＰＣ５５が接続される端子１７５の位置は、ドライバＩＣ１６１１，１６１２の位置を考慮することが好ましい。即ち、端子１７５は、ＬＣＤパネル１６の表示エリアとは異なるとともにドライバＩＣ１６１１，１６１２が実装される領域を含む領域と対向する、プライバシーフィルタ１７上の領域に実装される。
【００２８】
例えば、図１０に示すように、プライバシーフィルタ１７を表示正面から見て、左側にＦＰＣなどが接続される端子１７５を設ける。端子１７５が設けられている位置は、ゲートドライバＩＣ１６１２が配置されている位置に対応している。
【００２９】
端子１７５を設けるために、端子１７５が設けられる部分のガラス基板１７１を大きくする必要がある。金属ベゼル１６２の幅が広い辺１６２ａ，１６２ｂ側上に端子１７５を設けることによって、端子１７５が設けられる部分のガラス基板１７１の幅を大きくすることができる。その結果、強度を考慮するとＬＣＤパネル１６とプライバシーフィルタ１７の重なる面積を大きくなり、強度が増す。
【００３０】
ドライバＩＣ１６１１，１６１２が配置されていない辺１６２ｃ，１６２ｄ上に端子１７５を配置すると、ガラス基板１７１の幅を広くするとＬＣＤパネル１６から飛び出してしまい、強度が低下する。また、ＬＣＤパネル１６から飛び出さないようにすると、端子にＦＰＣを接続する際の作業が難しくなる。
【００３１】
また、ＬＣＤパネル１６とプライバシーフィルタ１７とを貼り合わせるための両面テープ４０が設けられる幅を確保することができる。
【００３２】
ところで、機能の異なる２つのパネルを、重ねて使用する際に、ＬＣＤパネル１６、プライバシーフィルタ１７の寸法公差、実装公差が問題となる。これらを吸収する為に、図１１（ａ）に示すプライバシーフィルタ１７の縦横寸法（ｘ，ｙ）を、図１１（ｂ）に示すＬＣＤパネル１６の縦横寸法（Ｘ，Ｙ）よりも小さく設定する。即ち、ｘ＜Ｘ，且つｙ＜Ｙにする。
【００３３】
また、実装時に、ＬＣＤパネル１６、プライバシーフィルタ１７の寸法公差、実装公差を考慮し、プライバシーフィルタ１７の覗き込み防止パターンが表示される表示エリア１７ＡＡの横縦寸法（ＡＡｘ，ＡＡｙ）を、ＬＣＤパネル１６の表示エリア１６ＡＡの横縦寸法（ＡＡＸ，ＡＡＹ）よりも大きく設定する。即ち、ＡＡｘ＞ＡＡＸ，且つＡＡｙ＞ＡＡＹにする。
【００３４】
ＬＣＤパネル１６とプライバシーフィルタ１７とを重ね合わせた状態を図１２の平面図をに示す。
【００３５】
本実施形態のパーソナルコンピュータでは、クッション性を有するテープ状の部材４１を有する両面テープ４０を用いてＬＣＤパネル１６にプライバシーフィルタ１７を装着しているので、プライバシーフィルタ１７に圧力がかかった時に力が緩和され、ガラス基板１７１が割れ、プライバシーフィルタ１７が動作しなくなるということを防止することができる。なお、部材４１がクッション性を有しない場合でも、力が集中しないのでプライバシーフィルタが損壊しない。
【００３６】
なお、両面テープ４０は、表示エリアの周囲に隙間無く設けなくても良い。但し、ＬＣＤパネル１６の表示エリアの周辺に隙間無く両面テープ４０を設けることで、ＬＣＤパネル１６とプライバシーフィルタ１７との間に異物などが混入する事を防止できる。
【００３７】
両面テープを用いることで、ＬＣＤパネル１６の縦横外形より、実装により縦横寸法が大きくなってしまうことを抑制することができる。
【００３８】
また、両面テープを用いることで、ＬＣＤパネル１６とプライバシーフィルタ１７とを別個に購入することができる。また、別個に購入した場合、ＬＣＤパネル１６は、プライバシーフィルタ１７を実装しないパーソナルコンピュータにも、そのまま使用することができる。これにより、ＰＣ生産のフレキシビリティーが向上し、ＬＣＤ製品単価や、管理コストを削減することができる
プライバシーフィルタ１７の縦横寸法を、ＬＣＤパネル１６の縦横寸法よりも小さくすることで、実装ばらつきにより、組み込めない事を防ぎ、工程着工時間が短くなる。
【００３９】
プライバシーフィルタ１７の表示エリアの横縦寸法を、ＬＣＤパネル１６の表示エリアよりも大きく設定することで、ＬＣＤパネル１６の表示エリアに対して、必ずプライバシーフィルタ１７の覗き込み防止パターンが正常な位置に実装されることが出来るようになる。
【００４０】
なお、両面テープの代わりに、接着剤を用いて、ＬＣＤパネル１６にプライバシーフィルタ１７を装着しても良い。接着剤を用いた場合、接着剤を用いてもプライバシーフィルタ１７に圧力が加わっても、力が集中しないので、プライバシーフィルタ１７が損壊することがない。接着剤は、ＬＣＤパネル１６の周囲に隙間無く設けても良いし、隙間を設けても良い。接着剤を隙間無く設けなくても、ＬＣＤパネル１６とプライバシーフィルタ１７との隙間は殆ど無くなるので、ＬＣＤパネル１６とプライバシーフィルタ１７との間に埃等の異物が入ることがない。
【００４１】
プライバシーフィルタ１７の代わりに、３Ｄ液晶用フィルタをＬＣＤパネル１６に固定しても良い。また、プライバシーフィルタ１７の換わりに、液晶セルをＬＣＤパネル１６に固定しても良い。手前と奥の２つの画像を表示させる事により、立体画像を作り出すことができる。
【００４２】
なお、このプライバシーフィルタ１７はＬＣＤパネル１６の他、有機ＥＬパネルなど、パネル表面に偏光板を有するディスプレイに装着して使用することが可能である。
【００４３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４４】
【図１】本発明に係わるパーソナルコンピュータの概略構成の一例を示す斜視図。
【図２】ＬＣＤパネル、プライバシーフィルタ、両面テープの配置関係の一例を示す図。
【図３】両面テープの構成の一例を示す断面図。
【図４】ＬＣＤパネル、プライバシーフィルタ、両面テープの配置関係の一例を示す図。
【図５】プライバシーフィルタにフィルタ駆動信号を供給する構成の概略の一例を示す図。
【図６】プライバシーフィルタをＬＣＤパネル上に装着したときの画面の見え方の一例を示す図。
【図７】プライバシーフィルタとＦＰＣとの接続部の一例を示す図。
【図８】ＬＣＤパネルの液晶セルの構成の一例を示す図。
【図９】ＬＣＤパネルの金属ベゼルの一例を示す図。
【図１０】プライバシーフィルタの構成の一例を示す図。
【図１１】ＬＣＤパネルの大きさとプライバシーフィルタの大きさとの関係を示す図。
【図１２】ＬＣＤパネルとプライバシーフィルタとを重ね合わせた状態を示す平面図。
【符号の説明】
【００４５】
１２…コンピュータ本体，１４…ディスプレイユニット，１６…ＬＣＤ，１７…プライバシーフィルタ，１８…ヒンジ，２０…キーボード，２２…タッチパッド，２４…スクロールボタン，２６…タッチパッドコントロールボタン，２８…パワーボタン，３０…フィルタＯＮ／ＯＦＦスイッチ，４０…両面テープ
【図１】
2006284934.tif 000003
【図２】
2006284934.tif 000004
【図３】
2006284934.tif 000005
【図４】
2006284934.tif 000006
【図５】
2006284934.tif 000007
【図６】
2006284934.tif 000008
【図７】
2006284934.tif 000009
【図８】
2006284934.tif 000010
【図９】
2006284934.tif 000011
【図１０】
2006284934.tif 000012
【図１１】
2006284934.tif 000013
【図１２】
2006284934.tif 000014
【手続補正書】
【提出日】平成17年4月7日(2005.4.7)
【手続補正１】
【補正対象書類名】図面
【補正対象項目名】図６
【補正方法】変更
【補正の内容】
【図６】
2006284934.tif 000015